(57)【特許請求の範囲】
【請求項１】
サイクリストが自転車に搭乗する際に装着するための、伸縮性生地からなるサイクリングパンツであって、
サイクリストの股を保護するパッド部を備え、
サイクリストの大臀筋から大腿二頭筋に相当する領域に亘って、他の部分に比べてその面方向での伸縮率の低い面状の高弾性生地が設けられ、
該高弾性生地の一部は、前記パッド部の側部とその他の部分とを分割する位置でパッド部に縫着されていることを特徴とするサイクリングパンツ。
【請求項２】
前記高弾性生地は、幅方向に沿う辺と、丈方向に沿う辺と、前記幅方向に沿う辺の幅方向内側端および丈方向に沿う辺の丈方向上端とを連続させる辺とを備えて面状に形成されている請求項１記載のサイクリングパンツ。
【発明の詳細な説明】
【技術分野】
【０００１】
本発明は、サイクリストが自転車に搭乗する際に装着する、サイクリングパンツに関する。
【背景技術】
【０００２】
従来、運動用衣服として、下記特許文献１が提案されている。ここに開示されている運動用衣服は、運動能力を補助するための特定の筋肉をサポート（保護）するサポート部分が、大臀部を避けるよう設けられている。
【先行技術文献】
【特許文献】
【０００３】
【特許文献１】特開２００１−２１４３０３（特許第３７４０３４４号）号公報
【発明の概要】
【発明が解決しようとする課題】
【０００４】
ところで、大臀筋（大臀部）や大腿筋の筋力を充分に利用するようにペダリングを行うことで、サイクリストのペダリングパワー（踏力）が向上することが知られている。しかしながら、上記従来の運動用衣服は、大臀筋や大腿筋の筋力の発揮を補助する構成は有していないから、ペダリングパワーの向上は期待できなかった。
【０００５】
そこで本発明は上記課題に鑑み、大臀筋および大腿筋の働きを補助してペダリングパワーを向上させ得るサイクリングパンツの提供を目的とする。
【課題を解決するための手段】
【０００６】
本発明は、サイクリストが自転車に搭乗する際に装着するための、伸縮性生地からなるサイクリングパンツであって、サイクリストの股を保護するパッド部を備え、サイクリストの大臀筋から大腿二頭筋に相当する領域に亘って、他の部分に比べてその面方向での伸縮率の低い面状の高弾性生地が設けられ、該高弾性生地の一部は、前記パッド部の側部とその他の部分とを分割する位置でパッド部に縫着されていることを特徴としている。また、前記高弾性生地は、幅方向に沿う辺と、丈方向に沿う辺と、前記幅方向に沿う辺の幅方向内側端および丈方向に沿う辺の丈方向上端とを連続させる辺とを備えて面状に形成された構成を採用できる。
【０００７】
上記構成において、サイクリストのペダリング動作における大臀筋および大腿二頭筋の体積膨張に応じて高弾性生地がその面方向に伸長し、伸長した高弾性生地は、弾性が高い分だけ収縮方向への大きなエネルギーが蓄積された状態にあり、サイクリストのペダリング動作に伴う大臀筋および大腿二頭筋の体積収縮に伴って高弾性生地がその面方向に収縮する際に前記エネルギーが開放されるから、大臀筋および大腿二頭筋の体積収縮を充分に補助（アシスト）することができる。
【発明の効果】
【０００８】
本発明のサイクリングパンツでは、サイクリストの大臀筋から大腿二頭筋に相当する領域に亘って、他の部分に比べてその面方向での伸縮率が低い高弾性生地を設けているから、サイクリストのペダリング動作における大臀筋および大腿二頭筋の体積膨張に応じて面方向に伸長した高弾性生地は、弾性が高い分だけ収縮方向への大きなエネルギーが蓄積された状態にあり、サイクリストのペダリング動作に伴う大臀筋および大腿二頭筋の体積収縮に伴って高弾性生地がその面方向に収縮する際に前記エネルギーが開放され、大臀筋および大腿二頭筋の体積収縮を充分に補助することで、ペダリングパワーの向上を図ることができる。
【図面の簡単な説明】
【０００９】
【図１】本発明の一実施形態を表すサイクリングパンツの正面図である。
【図２】同サイクリングパンツの背面図である。
【図３】同サイクリングパンツの側面図である。
【図４】同サイクリングパンツの装着状態における脚の筋肉と高弾性生地との関係を示す背面図である。
【図５】同高弾性生地の伸縮状態の模式的説明図で、（ａ）は伸縮の基準のない場合での模式図、（ｂ）は伸縮の基準を想定した場合の模式図である。
【図６】同サイクリストのペダリング動作を表す側面図である。
【図７】同サイクリストが膝を大きく曲げている姿勢（右足でペダルを踏み込んでいる姿勢）の斜視図である。
【図８】同図７の姿勢から右足がさらに回転した姿勢（右足を戻しつつある姿勢）の斜視図である。
【図９】同ペダルの回転角度と用いる筋肉の関係図である。
【発明を実施するための形態】
【００１０】
以下、図１ないし図９に基づいて、本発明の一実施形態に係るサイクリングパンツを説明する。該サイクリングパンツ１０は、主にロードレーサやマウンテンバイクなどのスポーツ走行を目的とする自転車Ｂに搭乗する際に、サイクリスト（搭乗者）Ｈが着用するパンツである。サイクリングパンツ１０は、サイクリストＨが装着してサイクリストＨが何らかの動作をして筋肉の形状等が変化することで、該動作に伴ってサイクリストＨの体の表面に沿って伸縮する生地で形成されている。すなわちサイクリストＨの体の表面に沿う方向が、サイクリングパンツ１０を構成する伸縮性生地の面方向に相当する。
【００１１】
図１ないし図４に示すように、サイクリングパンツ１０は、パンツ本体１２と、パンツ本体１２に固定された左右一対の肩紐部１４とを有している。パンツ本体１２は、たとえばポリエステルなどの伸縮性を有する生地が用いられている。なお、図１ないし図３は、生地を伸長させない状態、すなわちサイクリストＨに装着されていない状態で描いている。図４はサイクリストＨに装着された状態で描いている。
【００１２】
パンツ本体１２は、前ウエスト部２０と、前ウエスト部２０と共にサイクリストＨの上半身を覆うウエスト開口部２６を形成する後ウエスト部２２と、一対の脚開口部２８の間に位置する股部２４とを有している。
【００１３】
前ウエスト部２０は、容易に目視可能な多数の孔を形成した孔あきメッシュ製の素材で、正面視してＵ字状に湾曲して形成された前上部分２０ｃと、孔なし素材で形成され股部２４に連なる前下部分２０ｄとを有している。前下部分２０ｄは、両側部で縁部分まで延びている。
【００１４】
後ウエスト部２２は、一対の肩紐部１４と一体形成されている。後ウエスト部２２は、肩紐部１４が連なって、容易に目視可能な多数の孔を形成した孔あきメッシュ製の素材で形成された後上部分２２ａと、孔なし素材で形成され股部２４に連なる後下部分２２ｂとを有している。
【００１５】
後上部分２２ａは、後下部分２２ｂに向けてＵ字状に突出して形成されている。後下部分２２ｂも前下部分２０ｄと同様に側部で縁部分まで伸びている。そして前ウエスト部２０と後ウエスト部２２との連結部分は、両側部でＵ字状に大きくえぐられている。
【００１６】
一対の肩紐部１４は、パンツ本体１２の後ウエスト部２２からサイクリストＨの両肩を経由して前ウエスト部２０に至っている。肩紐部１４は容易に目視可能な多数の孔を形成した孔あきメッシュ製の素材からなり、前ウエスト部２０の前上部分２０ｃおよび後ウエスト部２２の後上部分２２ａと同じ生地で一体的に形成されている。
【００１７】
股部２４は、一対の脚開口部２８の間に位置し、サイクリストＨの太腿Ｈ２および股Ｈ３を覆うように形成される。股部２４は、前後のウエスト部２０，２２から脚開口部２８が若干前方に向くように縫製されている。股部２４において、サイクリストＨの股Ｈ３に相当する領域（両裾の中間部）には、サイクリストＨの股Ｈ３を保護するパッド部Ｐが設けられている。パッド部Ｐは、股Ｈ３の前後に亘るよう股部２４に設けられており、サイクリストＨの股Ｈ３を自転車ＢのサドルＳとの摩擦等から保護するクッション材（図示せず）が生地裏に固定されている。
【００１８】
股部２４の後ろは、後下部分２２ｂの下側に縫着される臀部生地２３によって構成されている。股部２４の下は、脚開口部２８（サイクリングパンツ１０の装着時にサイクリストＨの膝上に位置する）を形成している裾部生地２５から構成されている。臀部生地２３は、裾部生地２５と縫製されている。特に裾部生地２５は編み生地によって形成されていることで、サイクリストＨがサイクリングパンツ１０を装着し自転車Ｂに搭乗してペダル３３を回転させた際の装着感の好さを維持することができるようになっている。
【００１９】
図２ないし図４に示すように、股部２４の臀部生地２３の一部が、サイクリストＨの大臀筋Ｍ１から大腿二頭筋（ハムストリングの一部）Ｍ２に相当する領域に亘る、他の部分に比べて伸縮率の低い高弾性生地２７から構成されている。高弾性生地２７は、他の部分の生地に比べて伸縮率が低いから、逆に伸長した状態では、収縮力は他の部分の生地に比べて強い。この高弾性生地２７は、サイクリストＨの左右それぞれの大臀筋Ｍ１から大腿二頭筋Ｍ２の一部に相当するよう、臀部生地２３の左右に振り分けて配置されている。各高弾性生地２７は左右対称使いされているから、背面視して右側の高弾性生地２７の形状について説明し、左側の高弾性生地２７の形状の説明に兼用する。
【００２０】
図５は、右側の高弾性生地２７の、まだ臀部生地２３の一部として縫着していない状態での単体図である。図においてＸ方向は幅方向（左右方向）であり、Ｙ方向は丈方向（上下方向）である。高弾性生地２７はＸ方向およびＹ方向に伸縮可能であり、さらにＸ方向成分およびＹ方向成分を含む方向にも伸縮可能である。なお、図５において実線は伸縮方向の力を受けていない状態を示し、仮想線はサイクリストＨのペダリング動作によって最大に伸長した状態を示す。
【００２１】
高弾性生地２７は、下端辺３０と右端辺３１と湾曲辺３２とにより略三角形状に形成されている。下端辺３０は、高弾性生地２７の幅方向に沿うよう直線状に形成されており、右端辺３１は丈方向に沿うよう直線状に形成されており、湾曲辺３２は下端辺３０の内端（左端）と右端辺３１の上端とを連続するよう幅方向内側に凸となる形状に形成されている。なお、右端辺３１と湾曲辺３２との交点である三角形の一つの頂点の内角は、鋭角となるよう形成されている。
【００２２】
図２ないし図４に戻って、このような高弾性生地２７は、臀部生地２３の一部として用いられた状態では、湾曲辺３２がパッド部Ｐ（後部パッド部）の側部を分割するように縫着され、右端辺３１と湾曲辺３２との交点である三角形の頂点は、後下部分２２ｂと臀部生地２３の境界部に位置付けられ、高弾性生地２７の下端辺３０は、裾部生地２５に一致するよう設定されている。
【００２３】
このような構造のサイクリングパンツ１０は、着用の際には、両脚をパンツ本体１２の脚開口部２８に通すようにしてパンツ本体１２を着用してから肩紐部１４を両肩に掛けるようにする。そして、パンツ本体１２は全体が伸縮性生地で形成されているから、臀部生地２３がサイクリストＨの臀部および太腿の裏側にフィットする。
【００２４】
このサイクリングパンツ１０をサイクリストＨが装着して自転車Ｂに搭乗し、ペダリングを行った結果、ペダリングパワーが向上したことが、体感的に確かめられている。さらに、後述するように、ペダリング中における高弾性生地２７において、臀部の周方向（図５における横方向に相当する）における最大伸び率と、臀部および大腿二頭筋を覆った状態での丈方向（図５における上下方向に相当する）における最大伸び率では、周方向の伸び率が丈方向の伸び率を上回っていることが判明した。
【００２５】
ここで、サイクリングパンツ１０をサイクリストＨが装着して自転車Ｂに搭乗すると、サドルＳにはパッド部Ｐが乗るようになるから、高弾性生地２７が、パッド部Ｐの側部を分割するように縫着されている湾曲辺３２の一部領域を基準に伸縮をする場合を想定し、ペダリング動作に伴う高弾性生地２７の伸縮態様を、図５に基づいて説明する。
【００２６】
サイクリストＨは、サドルＳに座った状態でペダリングを行う場面が最も多いと考えられる。このサドルＳに座った状態をパッド部ＰがサドルＳに固定された状態と想定すると、高弾性生地２７は、湾曲辺３２がパッド部Ｐの側部を分割するように縫着されているから、高弾性生地２７は該縫着部分を伸縮の基準３２ａとして面方向に伸縮すると考えられる。すなわち、図のような模式図的には、湾曲辺３２の途中にある基準３２ａに対して面方向に伸縮する。ペダリング中における高弾性生地２７において、前述した、臀部の周方向における最大伸び率と、臀部および大腿二頭筋を覆った状態での丈方向における最大伸び率は、具体的には、周方向での最大伸び率が略３０％であり、丈方向の最大伸び率が略１０％であった。
【００２７】
ところで、図６ないし図８に示すように、サイクリストＨにおいて、自転車Ｂに搭乗して自転車Ｂのペダル３３を３６０°回転させるペダリング（回転運動）に際して、大臀筋、大腿二頭筋、下腿三頭筋、前脛骨筋、半腱様筋、半膜様筋、腸腰筋などを、ペダル３３の回転角度に応じて活用するよう努めると、ペダリングパワーが向上することが知られている。
【００２８】
また、ペダル３３を踏み込む手前（図９を参照して、例えば１２時〜２時、あるいは１１時〜３時ほどのペダリング領域で、膝を大きく曲げている姿勢）では、大臀筋Ｍ１は臀部周り方向に対して外方に体積膨張する（全体としては丈方向長さが縮む）ように変形する。そしてこのペダリング領域は、大臀筋Ｍ１の収縮活動が盛んな範囲である。一方で、例えば２時〜８時、あるいは３時〜９時ほどのペダリング領域付近では、大臀筋Ｍ１は伸長する（膨張状態の筋肉が収縮する）よう変形する。
【００２９】
大臀筋Ｍ１がサイクリストＨの臀部周りの外方へ向けて体積膨張すれば、大臀筋Ｍ１に対応する領域の一部を覆う高弾性生地２７は、該体積膨張に応じて臀部周りに沿うよう面方向に伸長することになる。換言すれば、高弾性生地２７に、その弾性に応じた面方向での伸長に対する大きな応力（収縮方向へのエネルギー）が発生した状態となる。なお、臀部周りでは、高弾性生地２７以外の生地も面方向に伸長することになる。
【００３０】
すなわち、ペダリング動作によって大臀筋Ｍ１が伸長する際には、予め面方向に伸長している高弾性生地２７の応力の補助を受ける（収縮方向へのエネルギーが開放される）ことになる。このため、大臀筋Ｍ１がより伸長し易くなる。これによってペダリングパワーが向上するものと考えられる。
【００３１】
また、特に大腿二頭筋Ｍ２は、図９に示すように、大臀筋Ｍ１からの力の受け継ぎが連続的に行われる部位である。そしてサイクリングパンツ１０では、高弾性生地２７が大腿二頭筋Ｍ２の一部も覆うから、大腿二頭筋Ｍ２（ハムストリングスの一部）が縮むのを、丈方向で補助する。このため、ペダリングパワーが向上するものと考えられる。
【００３２】
要するに、本実施形態のサイクリングパンツ１０では、高弾性生地２７により、大腿二頭筋Ｍ２の収縮補助に加えて、大臀筋Ｍ１の収縮補助がなされ、これにより、ペダリングパワーを著しく向上させることができる。
【００３３】
本発明は、上記実施形態に限定されず、本発明の主旨を逸脱しない範囲で種々変形が可能である。その他、各部の具体的構成についても上記実施形態に限られるものではない。例えば、上記実施形態では、高弾性生地は、大臀筋および大腿二頭筋に対応する領域に施したが、半腱様筋、半膜様筋に相当する領域に施すことで、これら筋肉の動きの補助をするよう構成することもできる。
【符号の説明】
【００３４】
１０…サイクリングパンツ、１２…パンツ本体、２３…臀部生地、２４…股部、２７…高弾性生地、３１…右端辺、３２…湾曲辺、３２ａ…基準、３３…ペダル、Ｂ…自転車、Ｈ…サイクリスト、Ｍ１…大臀筋、Ｍ２…大腿二頭筋、Ｐ…パッド部、Ｓ…サドル
【図１】
0005933191.tif 000002
【図２】
0005933191.tif 000003
【図３】
0005933191.tif 000004
【図４】
0005933191.tif 000005
【図５】
0005933191.tif 000006
【図６】
0005933191.tif 000007
【図７】
0005933191.tif 000008
【図８】
0005933191.tif 000009
【図９】
0005933191.tif 000010